(57)【要約】【課題】情報検索依頼者それぞれが希望する対話レベルとの関係性に応じて、情報の開示レベルを決定し、相互の事情に応じた情報を開示することを支援する、情報開示支援方法とサーバ、並びに情報開示支援プログラムを得る。【解決手段】検索依頼情報が、サーバに入力されるステップと、サーバが、検索依頼情報を記憶するステップと、サーバが、予め当該サーバに記憶された検索依頼情報の中から、入力された検索依頼情報に適合する情報を検索するステップと、サーバが、検索された情報を入力者に送信するステップ、とを有する情報開示の支援方法において、サーバに、入力された検索依頼情報に適合する検索依頼情報が記憶されていた場合、サーバが、予め当該サーバに記憶されていた検索依頼情報と、入力された検索依頼情報とから抽出する検索結果情報を決定するステップと、サーバが、決定された検索結果情報を入力者に送信するステップ、とを有する。【選択図】  図２
2004192536.tif 000002
【特許請求の範囲】
【請求項１】
検索依頼情報が、サーバに入力されるステップと、
上記サーバが、上記検索依頼情報を記憶するステップと、
上記サーバが、予め当該サーバに記憶された検索依頼情報の中から、上記入力された検索依頼情報に適合する情報を検索するステップと、
上記サーバが、上記検索された情報を上記入力者に送信するステップ、とを有する情報開示の支援方法において、
上記サーバに、上記入力された検索依頼情報に適合する検索依頼情報が記憶されていた場合、
上記サーバが、予め当該サーバに記憶されていた検索依頼情報と、上記入力された検索依頼情報とから抽出する検索結果情報を決定するステップと、
上記サーバが、上記決定された検索結果情報を上記入力者に送信するステップ、とを有することを特徴とする情報開示支援方法。
【請求項２】
検索依頼情報が、サーバに入力されるステップと、
上記サーバが、上記検索依頼情報を記憶するステップと、
上記サーバが、予め当該サーバに記憶された検索依頼情報の中から、上記入力された検索依頼情報に適合する情報を検索するステップと、
上記サーバが、上記検索された情報を上記入力者に送信するステップ、とを有する情報開示の支援方法において、
上記サーバに、上記入力された検索依頼情報に適合する検索相手の個人情報が存在しない場合、上記入力者にメッセージを送信するステップ、とを有することを特徴とする情報開示支援方法。
【請求項３】
前記入力される検索依頼情報は、入力者の個人情報と、検索相手の個人情報と、入力者が検索相手に対して希望するコミュニケーションレベルとを含む請求項１又は２記載の情報開示支援方法。
【請求項４】
前記抽出される検索結果情報は、入力者と検索相手との間で決定されるコミュニケーションレベル及び検索相手の個人情報であることを特徴とする請求項１又は３記載の情報開示支援方法。
【請求項５】
前記決定条件は、入力者のコミュニケーションレベルと、検索相手のコミュニケーションレベルのうち、より開示レベルの低いコミュニケーションレベルであることを特徴とする請求項４記載の情報開示支援方法。
【請求項６】
検索依頼情報を受信する手段と、
上記検索依頼情報を記憶する手段と、
予め当該サーバに記憶された検索依頼情報の中から、上記受信した検索依頼情報に適合する情報を検索する手段と、
上記検索された情報を送信する手段、とを有する情報開示を支援するサーバにおいて、
上記受信した検索依頼情報に適合する検索依頼情報が記憶されていた場合、
予め当該サーバに記憶されていた検索依頼情報と、上記受信した検索依頼情報とから抽出する検索結果情報を決定する手段と、
上記決定された検索結果情報を送信する手段、とを有することを特徴とする情報開示支援サーバ。
【請求項７】
検索依頼情報を受信する手段と、
上記検索依頼情報を記憶する手段と、
予め当該サーバに記憶された検索依頼情報の中から、上記受信した検索依頼情報に適合する情報を検索する手段と、
上記検索された情報を送信する手段、とを有する情報開示を支援するサーバにおいて、
上記受信した検索依頼情報に適合する検索依頼情報が記憶されていない場合、メッセージを送信する手段、とを有することを特徴とする情報開示支援サーバ。
【請求項８】
前記受信する検索依頼情報は、入力者の個人情報と、検索相手の個人情報と、入力者が検索相手に対して希望するコミュニケーションレベルとを含む請求項６又は７記載の情報開示支援サーバ。
【請求項９】
前記抽出される検索結果情報は、入力者と検索相手との間で決定されるコミュニケーションレベル及び検索相手の個人情報であることを特徴とする請求項６又は８記載の情報開示支援サーバ。
【請求項１０】
前記決定条件は、入力者のコミュニケーションレベルと、検索相手のコミュニケーションレベルのうち、より開示レベルの低いコミュニケーションレベルであることを特徴とする請求項９記載の情報開示支援サーバ。
【請求項１１】
情報開示を支援するコンピュータを、
検索依頼情報を受信する手段と、
上記検索依頼情報を記憶する手段と、
予め当該サーバに記憶された検索依頼情報の中から、上記受信した検索依頼情報に適合する情報を検索する手段と、
上記検索された情報を送信する手段と、
上記受信した検索依頼情報に適合する検索依頼情報が記憶されていた場合、
予め当該サーバに記憶されていた検索依頼情報と、上記受信した検索依頼情報とから抽出する検索結果情報を決定する手段と、
上記決定された検索結果情報を送信する手段、として機能させたことを特徴とする情報開示支援プログラム。
【請求項１２】
情報開示を支援するコンピュータを、
検索依頼情報を受信する手段と、
上記検索依頼情報を記憶する手段と、
予め当該サーバに記憶された検索依頼情報の中から、上記受信した検索依頼情報に適合する情報を検索する手段と、
上記検索された情報を送信する手段と、
上記受信した検索依頼情報に適合する検索依頼情報が記憶されていない場合、メッセージを送信する手段、として機能させたことを特徴とする情報開示支援プログラム。
【発明の詳細な説明】
【０００１】
【発明の属する技術分野】
本発明は、情報を得るための情報開示支援方法と、これを実行するためのサーバ、並びに、情報の開示を支援するためのプログラムに関するものである。
【０００２】
【従来の技術】
従来から、インターネットに接続したコンピュータとサーバを使用して、サーバに蓄積された個人データを検索、照合することによって、個人が知人等へメッセージを伝達する方法が知られている（たとえば、特許文献１参照。）。
【０００３】
【特許文献１】
特開２００２−２１５５２２号公報
【０００４】
【発明が解決しようとする課題】
しかしながら、上記従来技術は、キーワードや所定の質問が一致した場合には、一方的に情報やメッセージが伝達されるシステムであり、相互が希望するコミュニケーションレベルに応じて相互に情報開示等を行うことはできない。
一方、知人等へ情報やメッセージを伝達したい場合に、相手との関係性により対話レベルや開示情報を決定することができれば、よりフレキシブルな情報開示を行うことができる。
【０００５】
本発明は以上のような従来の実情に鑑みてなされたもので、情報検索依頼者それぞれが希望する対話レベルとの関係性に応じて、情報の開示レベルを決定し、相互の事情に応じた情報を開示することを支援する、情報開示支援方法とサーバ、並びに情報開示支援プログラムを提供することを目的とする。
【０００６】
【課題を解決するための手段】
請求項１記載の発明は、検索依頼情報が、サーバに入力されるステップと、サーバが、検索依頼情報を記憶するステップと、サーバが、予め当該サーバに記憶された検索依頼情報の中から、入力された検索依頼情報に適合する情報を検索するステップと、サーバが、検索された情報を入力者に送信するステップ、とを有する情報開示の支援方法において、サーバに、入力された検索依頼情報に適合する検索依頼情報が記憶されていた場合、サーバが、予め当該サーバに記憶されていた検索依頼情報と、入力された検索依頼情報とから抽出する検索結果情報を決定するステップと、サーバが、決定された検索結果情報を入力者に送信するステップ、とを有することを特徴とする。
【０００７】
請求項２記載の発明は、検索依頼情報が、サーバに入力されるステップと、サーバが、検索依頼情報を記憶するステップと、サーバが、予め当該サーバに記憶された検索依頼情報の中から、入力された検索依頼情報に適合する情報を検索するステップと、サーバが、検索された情報を入力者に送信するステップ、とを有する情報開示の支援方法において、サーバに、入力された検索依頼情報に適合する検索相手の個人情報が存在しない場合、入力者にメッセージを送信するステップ、とを有することを特徴とする。
【０００８】
請求項３記載の発明は、請求項１又は２記載の発明において、入力される検索依頼情報は、入力者の個人情報と、検索相手の個人情報と、入力者が検索相手に対して希望するコミュニケーションレベルとを含むことを特徴とする。
【０００９】
請求項４記載の発明は、請求項１又は３記載の発明において、抽出される検索結果情報は、入力者と検索相手との間で決定されるコミュニケーションレベル及び検索相手の個人情報であることを特徴とする。
【００１０】
請求項５記載の発明は、請求項４記載の発明において、決定条件は、入力者のコミュニケーションレベルと、検索相手のコミュニケーションレベルのうち、より開示レベルの低いコミュニケーションレベルであることを特徴とする。
【００１１】
請求項６記載の発明は、情報開示を支援するサーバであって、検索依頼情報を受信する手段と、検索依頼情報を記憶する手段と、予め当該サーバに記憶された検索依頼情報の中から、受信した検索依頼情報に適合する情報を検索する手段と、検索された情報を送信する手段、とを有する情報開示を支援するサーバにおいて、受信した検索依頼情報に適合する検索依頼情報が記憶されていた場合、予め当該サーバに記憶されていた検索依頼情報と受信した検索依頼情報とから抽出する検索結果情報を決定する手段と、決定された検索結果情報を送信する手段、とを有することを特徴とする。
【００１２】
請求項７記載の発明は、情報開示を支援するサーバであって、検索依頼情報を受信する手段と、検索依頼情報を記憶する手段と、予め当該サーバに記憶された検索依頼情報の中から、受信した検索依頼情報に適合する情報を検索する手段と、検索された情報を送信する手段、とを有する情報開示を支援するサーバにおいて、受信した検索依頼情報に適合する検索依頼情報が記憶されていない場合、メッセージを送信する手段、とを有することを特徴とする。
【００１３】
請求項８記載の発明は、請求項６又は７記載の発明において、受信する検索依頼情報は、入力者の個人情報と、検索相手の個人情報と、入力者が検索相手に対して希望するコミュニケーションレベルとを含むことを特徴とする。
【００１４】
請求項９記載の発明は、請求項６又は８記載の発明において、抽出される検索結果情報は、入力者と検索相手との間で決定されるコミュニケーションレベル及び検索相手の個人情報であることを特徴とする。
【００１５】
請求項１０記載の発明は、請求項９記載の発明において、決定条件は、入力者のコミュニケーションレベルと、検索相手のコミュニケーションレベルのうち、より開示レベルの低いコミュニケーションレベルであることを特徴とする。
【００１６】
請求項１１記載の発明は、情報開示を支援するコンピュータを、検索依頼情報を受信する手段と、検索依頼情報を記憶する手段と、予め当該サーバに記憶された検索依頼情報の中から、受信した検索依頼情報に適合する情報を検索する手段と、検索された情報を送信する手段と、受信した検索依頼情報に適合する検索依頼情報が記憶されていた場合、予め当該サーバに記憶されていた検索依頼情報と、受信した検索依頼情報とから抽出する検索結果情報を決定する手段と、決定された検索結果情報を送信する手段、として機能させたことを特徴とする。
【００１７】
請求項１２記載の発明は、情報開示を支援するコンピュータを、検索依頼情報を受信する手段と、検索依頼情報を記憶する手段と、予め当該サーバに記憶された検索依頼情報の中から、受信した検索依頼情報に適合する情報を検索する手段と、検索された情報を送信する手段と、受信した検索依頼情報に適合する検索依頼情報が記憶されていない場合、メッセージを送信する手段、として機能させたことを特徴とする。
【００１８】
【発明の実施の形態】
以下、図面を参照しながら本発明にかかる情報開示支援方法とサーバ、並びに情報開示支援プログラムの実施の形態について説明する。
図１は、本発明にかかる情報開示支援サーバ（以下、「本サーバ」という）の実施の形態を示すブロック図である。符号１は、本サーバを示し、通信ネットワーク４を介して端末２，３と接続される。端末２，３は、それぞれ情報検索依頼者が本サーバ１を利用するために用いる端末である。
【００１９】
通信ネットワーク４の例としては、インターネットやＬＡＮなどのコンピュータ通信網がある。本サーバ１、端末２，３は、図示しない専用線、公衆交換電話網（ＰＳＴＮ）、無線電話網、ＣＡＴＶ網、衛星通信網等の通信回線を介して通信ネットワーク４と接続されている。
【００２０】
端末２，３は、通信ネットワーク４を介して本サーバ１と通信することができる情報処理装置であればよく、例えば、パーソナルコンピュータをはじめ、データ通信機能を有するＰＤＡ（Ｐｅｒｓｏｎａｌ  Ｄｉｇｉｔａｌ  Ａｓｓｉｓｔａｎｔ）や携帯電話機などである。
【００２１】
本サーバ１は、端末２，３と通信ネットワーク４を介して通信することができる情報処理装置であればよく、例えば、パーソナルコンピュータなどである。
ここで本サーバ１は、いわゆるＷｅｂサーバとして動作して、端末２，３と情報交換（情報の送受信）を行う。ただし、本サーバ１と端末２，３との通信手段は、これに限定するものではない。
【００２２】
なお、本サーバ１では、本発明にかかる情報開示支援プログラム（以下、「本プログラム」という）が動作して本サーバ１内の各手段を制御することで、以下に説明する本発明にかかる情報開示支援方法（以下、「本方法」という）を実現する。
【００２３】
本サーバ１は、検索依頼情報受信部１１、検索依頼情報記憶部１２、検索依頼情報抽出部１３、検索結果情報送信部１４、開示依頼情報受信部１５、開示レベル決定部１６、個人情報送信部１７を有している。
【００２４】
検索依頼情報受信部１１とは、情報検索依頼者が入力した検索依頼情報を受け付ける手段をいう。
検索依頼情報とは、情報検索依頼者自身の個人情報及び検索相手の個人情報、並びに情報検索依頼者が検索相手に対して希望する「コミュニケーションレベル」に関する情報をいう。ここで個人情報とは、例えば氏名、生年月日、年齢、現住所、旧住所、ニックネーム、メールアドレス等をいい、「コミュニケーションレベル」とは、情報検索依頼者と検索相手とが行うコミュニケーションの段階をいい、例えばメール、電話、面会等が想定される。
【００２５】
検索依頼情報記憶部１２とは、情報検索依頼者が入力した検索依頼情報をサーバ１内に記憶し蓄積する手段をいう。
【００２６】
検索依頼情報抽出部１３とは、情報検索依頼者により入力された検索依頼情報と、予め検索依頼情報記憶部１２に記憶されている個人情報とを照合し抽出する手段をいう。
【００２７】
検索結果情報送信部１４とは、上記検索依頼情報抽出部１３で抽出された検索結果情報を情報検索依頼者に送信する手段をいう。検索結果情報とは、検索相手の登録の有無、検索相手の「コミュニケーションレベル」、検索相手からのメッセージ等をいう。
【００２８】
開示依頼情報受信部１５とは、情報検索依頼者に対して情報の開示依頼をする者が存在した場合に、情報検索依頼者が開示依頼情報を受信する手段をいう。
開示依頼情報とは、開示依頼者が検索依頼を受けた相手に対して希望する「コミュニケーションレベル」に関する情報をいい、「コミュニケーションレベル」とは、メール、電話、面会等をいう。
【００２９】
開示レベル決定部１６とは、入力された開示依頼情報と検索依頼情報記憶部１２に記憶された検索依頼情報とを照合し、開示レベルを決定する手段をいう。
開示レベルとは、開示依頼者の「コミュニケーションレベル」と検索相手の「コミュニケーションレベル」とを適合させた「コミュニケーションレベル」をいい、決定方法については、以下において、図２に示すフローチャートとともに説明する。
【００３０】
個人情報送信部１７とは、開示レベル決定部１６で決定された開示レベルであるところのコミュニケーションレベルに応じた個人情報を開示依頼者に送信する手段をいう。
【００３１】
図２は、本方法の実施の形態を示すフローチャートである。以下、図３乃至１５を参照しながら本方法について各ステップごとに説明する。
なお、以下に説明する実施の形態においては、Ａ（情報検索依頼者）がＢ（検索相手）の情報を得たい（会いたい）と思い本サーバ１にアクセスしたが、Ｂが登録されておらず（Ｓ１〜４）、その後、上記ＢがＣ（検索相手）の情報を得たい（会いたい）と思い、新たに情報検索依頼者となって本サーバ１にアクセスした場合（Ｓ５〜１２）の例を説明する。
【００３２】
先ず最初に、本サーバ１は、Ａが端末２から入力する検索依頼情報、すなわちＡ及びＢの個人情報、並びにＡが望むＢとの「コミュニケーションレベル」を受信し（Ｓ１）、かかる情報を検索依頼情報記憶部１２に記憶する（Ｓ２）。
【００３３】
具体的には、インターネットに接続した本サーバ１にホームページ（以下ＨＰ）を設け、情報検索依頼者であるＡは、インターネットに接続された端末２から当該ＨＰにアクセスする。
図３は、ユーザー認証を行うためのＷｅｂページの例であり、この「ログオン画面」からユーザーＩＤ、パスワードを入力する。入力されたデータが正しければ、図４に示す「メニュー画面」が起動する。
【００３４】
Ａが初めて本サーバ１にアクセスする場合や登録事項の変更がある場合は、図４に示すメニュー画面から「ユーザー基本情報登録・変更」を選択し、図５に示す基本情報検索画面を起動させる。次にＡは、自己の氏名、生年月日、性別等を入力する。さらに、関連情報を登録するため、画面下の「次頁」ボタンを押下し、自己についての関連情報を入力する。
関連情報としては、例えば旧姓、現住所、旧住所、現電話番号、旧電話番号、出身校、ニックネーム、メールアドレス等が想定され、より多くの関連情報を入力することで検索相手であるＢとのマッチングの可能性を向上させることができる。
【００３５】
次に、図６に示す検索相手情報登録（受付）画面から検索相手Ｂの個人情報である氏名、ニックネーム、出身校、血液型等を入力する。これらの情報も、より多くの情報を入力することでＢとのマッチングの可能性を向上させることができる。
【００３６】
なお、情報検索依頼者及び検索相手の個人情報の入力事項は、予め設定された入力事項に限られず、情報検索依頼者が任意に追加できるようにしてもよい。
また、個人情報の項目のうち、いずれの項目を入力するかは情報検索依頼者自身により任意であるが、情報検索依頼者が入力していない項目については、検索相手の個人情報が本サーバ１に記憶されている場合であっても、かかる項目についての情報は得ることはできない。その結果、情報検索依頼者は、入力項目を選択することで、入手したい検索相手の個人情報を同時に選択することとなる。
なお、本発明においては、本サーバ１内に記憶された検索相手の個人情報のうち、情報検索依頼者が入力していない項目についても、情報検索依頼者に提示するようにしてもよい。
【００３７】
次に、画面下の「次頁」ボタンを押下すると、図７に示すコミュニケーションレベル登録（受付）画面が起動し、「コミュニケーションレベル」を入力する。「コミュニケーションレベル」としては、メール、電話、面会等を開示レベルの低い順に予め設定し、Ａは自分が望むＢとの「コミュニケーションレベル」を選択し入力する。
なお、予め設定された「コミュニケーションレベル」以外にも、例えば画像チャット等のように、情報検索依頼者が希望する別の「コミュニケーションレベル」があれば、これを入力可能としてもよい。
【００３８】
次に、本サーバ１は、入力された検索依頼情報に基づき検索依頼情報記憶部１２内を検索し（Ｓ３）、すでに登録されている個人情報と照合し、その後、検索結果情報をＡに送信し（Ｓ４）、その内容を表示する。図８は、本サーバ１が検索結果情報を表示するＷｅｂページの例を示す図であって、検索相手Ｂが未登録の場合を示す。
【００３９】
Ｂが未登録の場合の検索結果情報としては、図８に示すように、未登録の旨を知らせるメッセージと、Ｂが登録された場合に連絡を希望するか否かの選択肢が表示される。
ここで、Ｂとのマッチングの可能性を向上させるため、更にＡ又はＢの個人情報を追加できるようにしてもよい。
また、他にＢを検索相手としている検索依頼者が存在する場合は、検索依頼者の履歴を表示するようにしてもよい。
なお、後にＢが登録された場合のＡへの通知方法としては、登録したメールアドレスにメールを送信する方法や、Ａが再び本サーバ１に接続した際にその旨を表示する等が想定される。
【００４０】
したがって、情報検索依頼者Ａは、検索依頼情報を送信（Ｓ１）した結果として、図８に示すような検索結果情報が掲載されたＷｅｂページを端末２で受信することとなる。
【００４１】
次に、ステップＳ１〜Ｓ４では検索相手であったＢが、情報検索依頼者となってＣの情報を得たいと思っている場合の例を説明する。
【００４２】
本サーバ１は、情報検索依頼者であるＢから、検索相手であるＣについての検索依頼情報を受け付け（Ｓ５）、かかる情報を検索依頼情報記憶部１２に記憶する（Ｓ６）。
具体的には、Ｂは、インターネットに接続された端末３からＨＰにアクセスし、図３に示す「ログオン画面」からユーザーＩＤ、パスワードを入力する。入力されたデータが正しければ、図４に示すメニュー画面が起動する。
【００４３】
Ｂがメニュー画面から「ユーザー基本情報登録・変更」を選択すると、図５に示す基本情報検索画面が起動する。Ｂは、自己の氏名、生年月日、性別等を入力する。さらに関連情報を登録する場合は、画面下の「次頁」を押下し、自己についての関連情報を入力する。
【００４４】
次に、図６に示す検索相手情報登録（受付）画面から検索相手であるＣの氏名、ニックネーム、出身校、血液型等の個人情報を入力し、図７に示すコミュニケーションレベル登録（受付）画面からＢが望むＣとの「コミュニケーションレベル」を選択し入力する。
【００４５】
次に、本サーバ１は、入力された検索依頼情報に基づき検索依頼情報記憶部１２内を検索し（Ｓ７）、すでに登録されている個人情報と照合し、その後、検索結果情報をＢに送信し（Ｓ８）、その内容を表示する
【００４６】
検索相手Ｃが未登録の場合は、上述の図８に示すように、未登録の旨を知らせるメッセージと、Ｃが登録された場合に連絡を希望するか否かのメッセージが検索結果情報として表示される。
【００４７】
ここで、上記ステップ１〜４において説明したように、Ｂについては、すでにＡにより検索相手として本サーバ１に登録されているので、Ｂに対してはさらに図９に示す検索結果情報が送信される。
【００４８】
図９に示す検索結果情報には、ＡがＢを検索相手として登録済である旨を知らせるメッセージ及びＡの希望する「コミュニケーションレベル」、並びに検索相手Ａへ連絡するか否かの選択肢が表示される。
【００４９】
次に、本サーバ１は、ＢからＡについての開示依頼情報を受信し（Ｓ９）、かかる情報を検索依頼情報記憶部１２に記憶されたＡの個人情報と照合し、開示レベル決定部１６において開示レベルが決定される（Ｓ１０）。
【００５０】
具体的には、ＢがＡとコミュニケーションをとる意志がない場合、すなわち図９に示す検索結果情報の画面で「連絡しない」が選択されて本サーバ１に送信された場合は、かかる情報は検索依頼情報記憶部１２に記憶され、次にＡが本サーバ１にアクセスした場合に、ＢはＡとコミュニケーションをとる意志がない旨が検索結果情報として表示される。
なお、本発明において、ＢがＡとコミュニケーションをとる意志がない場合、本サーバ１がＡに対してその旨を提示する時期は、たとえば、本サーバ１がＢからその旨を受付後、直ちにその旨を記載した電子メールをＡ宛てに送信するなどして提示するようにしてもよい。
【００５１】
一方、ＢがＡとコミュニケーションをとる意志がある場合、すなわち図９に示す検索結果情報の画面で「連絡する」が選択され本サーバ１に送信された場合は、端末３に図１０に示す開示依頼情報登録（受付）画面が表示される。この開示依頼情報登録（受付）画面に入力する「コミュニケーションレベル」は、上述の図７に示す検索依頼情報受付画面において入力する項目と同様である。
【００５２】
次に、図１１に示す画面から、Ａへ送るメッセージを入力し、送信する。
【００５３】
次に、ＡとＢとの「コミュニケーションレベル」を確認すべく、図１２に示すように各々の「コミュニケーションレベル」が表示される。かかる表示を見て、ＢはＡの「コミュニケーションレベル」と適応させるため、「コミュニケーションレベル」を変更することも可能である。
【００５４】
Ｂが入力した「コミュニケーションレベル」とＡが登録している「コミュニケーションレベル」とが同一の場合は、Ｂには一致した「コミュニケーションレベル」が開示レベルとして決定される。
一方、Ｂが入力した「コミュニケーションレベル」とＡが登録している「コミュニケーションレベル」とが相違する場合は、Ｂにはより低いレベルの「コミュニケーションレベル」が開示レベルとして決定される。
【００５５】
このように、相互が希望するコミュニケーションレベルに応じて開示レベルを決定することで、相互の親密度や諸事情を考慮して、段階的にコミュニケーションを図ることができる。しかも、より低い開示レベルに決定されることで、両者が開示を希望する以上の情報が開示されることはない。
【００５６】
開示レベルが決定すると、図１３に示すように、Ａからのメッセージとともに決定した「コミュニケーションレベル」が表示される。さらに、図１４に示すように「コミュニケーションレベル」に応じた個人情報も提示される（Ｓ１１）。同様に、コミュニケーションレベルに応じたＢの個人情報が、Ａに対しても提示される（Ｓ１２）。
開示される個人情報は、図１５に示すように「コミュニケーションレベル」ごとに予め本サーバ１内に設定されている。
なお、本発明において、本サーバ１がＡとＢに互いの個人情報を開示する時期は、図２に示した例に限定せず、たとえば、ＡとＢに対して同時に開示するようにしても構わない。
また、コミュニケーションレベルごとに設定される開示される個人情報は、予め本サーバ１内に設定するのに代えて、たとえば、ＡやＢ自身に設定させるようにしてもよい。
【００５７】
図１５に示す例では、コミュニケーションレベル１のメール交換では、メールアドレスが必須の開示情報とされ、コミュニケーションレベル２の電話では、電話番号が必須の開示情報とされ、コミュニケーションレベル３のメール交換では、住所が必須の開示情報とされている。他の情報については、任意に設定可能である。但し、自分が入力していない項目の情報については、検索相手の情報が登録されている場合であっても、情報開示を受けることはできないため、入手を希望する情報に関しては、対応する自己の項目を予め入力する必要がある。
【００５８】
したがって、情報検索依頼者Ｂは、検索依頼情報を送信（Ｓ５）した結果として、図１２及び図１３に示すような抽出された検索結果情報が掲載されたＷｅｂページを端末３で受信することとなる。
【００５９】
以上説明した実施の形態によれば、情報検索依頼者は、情報を知りたいと思っている検索相手との関係において、それぞれが選択するコミュニケーションレベルに応じて、相互の開示レベルが決定され、情報開示を行うことができる。
その結果、相互の関係性、すなわち親密度や秘密保持度に応じた情報開示を行うことができ、さらに、必要に応じて段階的に開示レベルを変更することも可能である。
【００６０】
上記実施の形態において説明した情報端末２，３としては、個人のパソコン等を用いて本サーバ１に接続できるようにしてもよいし、また、公民館や飲食店等、多数の人が集まる場所に設置された情報端末から本サーバ１に接続するようにしてもよい。
【００６１】
なお、以上において説明した実施の形態では、検索依頼情報は、検索依頼者自身の個人情報及び検索相手の個人情報、並びに情報検索依頼者が検索相手に対して希望する「コミュニケーションレベル」であったが、個人情報に限らず、広く一般情報に拡張することで、相互にアクセス権を有する情報保持者間の段階的開示システムに応用することもできる。
【００６２】
【発明の効果】
本発明によれば、近時に発達したインターネット通信網による情報の双方向通信のシステムを利用し、個人情報を得てコミュニケーションをとりたいと思っている情報検索者同士が、個々の事情を考えて、相互に希望する情報開示レベルに応じて、段階的にコミュニケーションをとり、個人情報を入手することを容易かつ有効に行うことができるという効果が得られる。
【図面の簡単な説明】
【図１】本発明にかかる情報開示支援サーバの実施の形態を示すブロック図である。
【図２】本発明にかかる情報開示支援方法の実施の形態を示すフローチャートである。
【図３】上記サーバにアクセスするためのＷｅｂページの例を示す図である。
【図４】上記サーバが、検索依頼情報を受付けるＷｅｂページの例を示す図である。
【図５】上記サーバが、検索依頼情報を受付けるＷｅｂページの例を示す図である。
【図６】上記サーバが、開示依頼情報を受付けるＷｅｂページの例を示す図である。
【図７】上記サーバが、開示依頼情報を受付けるＷｅｂページの例を示す図である。
【図８】上記サーバが、検索結果情報を表示するＷｅｂページの例を示す図である。
【図９】上記サーバが、利用者に提示するＷｅｂページの例を示す図である。
【図１０】上記サーバが、開示依頼情報を受付けるＷｅｂページの例を示す図である。
【図１１】上記サーバが、メッセージを受付けるＷｅｂページの例を示す図である。
【図１２】上記サーバが、利用者に提示するＷｅｂページの例を示す図である。
【図１３】上記サーバが、利用者に提示するＷｅｂページの例を示す図である。
【図１４】上記サーバが、個人情報を表示するＷｅｂページの例を示す図である。
【図１５】コミュニケーションレベルと開示情報との関係の例を示す図である。
【符号の説明】
１    情報開示支援サーバ
２    端末
３    端末
４    通信ネットワーク
【図１】
2004192536.tif 000003
【図２】
2004192536.tif 000004
【図３】
2004192536.tif 000005
【図４】
2004192536.tif 000006
【図５】
2004192536.tif 000007
【図６】
2004192536.tif 000008
【図７】
2004192536.tif 000009
【図８】
2004192536.tif 000010
【図９】
2004192536.tif 000011
【図１０】
2004192536.tif 000012
【図１１】
2004192536.tif 000013
【図１２】
2004192536.tif 000014
【図１３】
2004192536.tif 000015
【図１４】
2004192536.tif 000016
【図１５】
2004192536.tif 000017